(57)【要約】【課題】落下等の衝撃に強く、かつ保護部材を取り外すときの操作性に優れた、例えばページワイド型の液体吐出ヘッドを提供する。【解決手段】液体を吐出する吐出口が形成された複数の記録素子基板を第１の方向に配置して構成された液体吐出ヘッドユニットは、第１の方向に延びるレール部と、レール部に対して着脱可能にはめられた保護部材と、を有する。保護部材は、複数の記録素子基板の全面を覆う第１の位置と、吐出口からの液体の吐出が可能であるように複数の記録素子基板を露出させる第２の位置との間で、レール部に沿って移動可能である。【選択図】図１
2019014169.tif 000002
【特許請求の範囲】
【請求項１】
液体を吐出する吐出口が形成された複数の記録素子基板を第１の方向に配置して構成された、液体吐出装置に対して装着されるページワイド型の液体吐出ヘッドと、
前記複数の記録素子基板を保護する保護部材と、
を備える液体吐出ヘッドユニットであって、
前記液体吐出ヘッドは前記第１の方向に互いに沿って延びる複数のレール部を有し、
前記保護部材は、前記複数の記録素子基板の全面を覆う第１の位置と、前記吐出口からの液体の吐出が可能であるように前記複数の記録素子基板を露出させる第２の位置との間で、前記レール部に沿って移動可能である、液体吐出ヘッドユニット。
【請求項２】
前記レール部の少なくとも一部が金属材料によって形成されている、請求項１に記載の液体吐出ヘッドユニット。
【請求項３】
前記保護部材は帯電防止材料によって形成されている、請求項２に記載の液体吐出ヘッドユニット。
【請求項４】
前記複数の記録素子基板の周囲に、前記液体吐出装置に設けられた吸引部材が当接する当接面部材が配置され、前記当接面部材は、前記記録素子基板における前記吐出口が形成される面と同じ向きを向いた第１の面と前記第１の面に対して反対となる第２の面とを有し、前記第２の面の少なくとも一部が前記レール部によって支持されている、請求項１乃至３のいずれか１項に記載の液体吐出ヘッドユニット。
【請求項５】
前記液体吐出ヘッドの側面の一部を覆う金属製のカバー部材を備え、前記レール部は金属材料によって形成されており、前記カバー部材と前記レール部とは電気的に接続されている、請求項１乃至４のいずれか１項に記載の液体吐出ヘッドユニット。
【請求項６】
１以上の電気配線基板と、前記電気配線基板と前記複数の記録素子基板を電気的に接続するフレキシブル配線基板と、前記電気配線基板と前記フレキシブル配線基板の少なくとも一部を覆う金属製のカバー部材を備え、前記カバー部材に対して前記レール部が取り付けられている請求項１乃至４のいずれか１項に記載の液体吐出ヘッドユニット。
【請求項７】
前記レール部は前記カバー部材で形成されている、請求項６に記載の液体吐出ヘッドユニット。
【請求項８】
前記液体吐出ヘッドユニットは前記液体吐出ヘッドに前記保護部材が装着された状態で前記液体吐出装置に装着される、請求項１乃至４のいずれか１項に記載の液体吐出ヘッドユニット。
【請求項９】
前記液体吐出ヘッドユニットは前記液体吐出ヘッドに前記保護部材が装着された状態で前記液体吐出装置に装着され、前記カバー部材は前記液体吐出装置の接地部と電気的に接続される、請求項５または６に記載の液体吐出ヘッドユニット。
【請求項１０】
前記液体吐出ヘッドに設けられる突起と、
前記保護部材に設けられ前記保護部材が前記第１の位置にある前記突起に係合して前記保護部材の前記第１の位置から前記第２の位置に向かう移動を防止する固定部と、
をさらに有し、
前記第１の方向とは異なる方向に前記固定部を押圧することによって前記固定部が前記突起から離れて前記保護部材が前記第１の位置から移動可能となる、請求項１乃至９のいずれか１項に記載の液体吐出ヘッドユニット。
【請求項１１】
前記複数の記録素子基板は前記第１の方向に沿って直線状に配列される、請求項１乃至１０のいずれか１項に記載の液体吐出ヘッドユニット。
【請求項１２】
前記液体吐出ヘッドの前記複数の記録素子基板が設けられる面の短辺と長辺との比は１：７以上である、請求項１乃至１１のいずれか１項に記載の液体吐出ヘッドユニット。
【請求項１３】
前記記録素子基板は、液体を吐出するためのエネルギーを発生する記録素子と、前記記録素子を内部に備える圧力室と、を備え、
前記圧力室内の液体は該圧力室の外部との間で循環される、請求項１乃至１２のいずれか１項に記載の液体吐出ヘッドユニット。
【請求項１４】
液体を吐出する吐出口が形成された複数の記録素子基板が第１の方向に配列された、液体吐出装置に対して着脱可能なページワイド型の液体吐出ヘッドと、
前記複数の記録素子基板を保護する保護部材と、
を備える液体吐出ヘッドユニットであって、
前記液体吐出ヘッドは、前記複数の記録素子基板の、前記第１の方向と直交する方向における両側に、前記第１の方向に沿って延びる複数のレール部を有し、
前記保護部材は、前記レール部に対して当接し、前記第１の方向に沿って摺動する摺接部を有する、液体吐出ヘッドユニット。
【請求項１５】
前記液体吐出ヘッドは、前記記録素子基板と接続されるフレキシブル配線基板と、前記フレキシブル配線基板の少なくとも一部を覆う金属製のカバー部材と、を備え、
前記レール部は金属材料で形成されており、前記カバー部材と前記レール部材とは当接している、請求項１４に記載の液体吐出ヘッドユニット。
【請求項１６】
前記レール部は前記カバー部材で形成されている、請求項１５に記載の液体吐出ヘッドユニット。
【請求項１７】
請求項１乃至１６のいずれか１項に記載の液体吐出ヘッドユニットと、前記液体吐出ヘッドユニットが挿入される開口と、を有し、
前記液体吐出ヘッドユニットは、前記開口に対して前記第１の方向に沿って差し込まれる、液体吐出装置。
【発明の詳細な説明】
【技術分野】
【０００１】
本発明は、液体吐出装置に搭載される液体吐出ヘッドユニットと液体吐出装置とに関する。
【背景技術】
【０００２】
記録液などの液体を記録媒体に吐出して記録を行う液体吐出装置は、一般に、液体が吐出される複数の吐出口を備える液体吐出ヘッドと、液体吐出ヘッドを搭載するキャリッジと、記録媒体を搬送する手段と、これらを制御するための制御手段と、を備えている。記録方式からみると、液体吐出装置にはシリアルスキャン型とページワイド型とがある。シリアルスキャン型の装置は、キャリッジを移動させながら記録動作を行なう。一方、ページワイド型の装置は、記録媒体の幅に対応した大きさを有する液体吐出ヘッド（すなわちページワイド型の液体吐出ヘッド）を用い、キャリッジを固定して記録媒体のみを搬送させながら記録動作を行なう。ページワイド型の液体吐出ヘッドでは、液体を吐出する複数の吐出口を備える吐出モジュールが、記録媒体の幅に対応する長さの全体にわたって配置されている。
【０００３】
液体吐出ヘッドを輸送するときや液体吐出ヘッドを取り扱っているときに吐出モジュールの損傷や汚染を防ぐために、吐出モジュールの全面を覆う保護部材を用いて液体吐出ヘッドを保護する場合が多い。特許文献１は、シリアルスキャン型の液体吐出装置のための液体吐出ヘッドに対して用いられる保護部材であって、液体吐出ヘッドに対して固定するための爪状の係合部を有するものを開示している。保護部材は、キャップ状のものであって、吐出口が形成されている面を覆うように、この面に対して直交する方向から液体吐出ヘッドに向かって装着されている。この特許文献１に記載のものでは、液体吐出装置に対して液体吐出ヘッドを取り付ける際には、まず、保護部材の係合部を解除し、保護部材を液体吐出ヘッドから取り外し、そののち、液体吐出装置に対して液体吐出ヘッドを取り付けることとなる。
【先行技術文献】
【特許文献】
【０００４】
【特許文献１】特開２００１−０６３０８０号公報
【発明の概要】
【発明が解決しようとする課題】
【０００５】
ページワイド型のように大型化あるいは長尺化した液体吐出ヘッドでは、液体吐出ヘッドを落下させた場合の衝撃が大きい。そのため、この衝撃により保護部材の係合部が破損して保護部材が液体吐出ヘッドから外れ、吐出モジュールが汚染されたり破損したりするおそれがある。係合部の破損のリスクを減らすために、係合部の数を増やしたり係合部を大きく形成したりすることが考えられるが、その場合には、液体吐出ヘッドから保護部材を取り外す際の操作性が低下する。
本発明の目的は、上記の課題を解決し、ページワイド型のものである液体吐出ヘッドであって、落下等の衝撃に強く、かつ保護部材を取り外すときの操作性に優れた液体吐出ヘッドと、この液体吐出ヘッドを用いる液体吐出装置と、を提供することにある。
【課題を解決するための手段】
【０００６】
本発明の液体吐出ヘッドユニットは、液体を吐出する吐出口が形成された複数の記録素子基板を第１の方向に配置して構成された、液体吐出装置に対して装着されるページワイド型の液体吐出ヘッドと、複数の記録素子基板を保護する保護部材と、を備える液体吐出ヘッドユニットであって、液体吐出ヘッドは第１の方向に互いに沿って延びる複数のレール部を有し、、保護部材は、複数の記録素子基板の全面を覆う第１の位置と、吐出口からの液体の吐出が可能であるように複数の記録素子基板を露出させる第２の位置との間で、レール部に沿って移動可能である。
本発明の液体吐出装置は、本発明の液体吐出ヘッドユニットと、液体吐出ヘッドユニットが挿入される開口と、を有し、液体吐出ヘッドユニットは、開口に対して第１の方向に沿って差し込まれる。
【発明の効果】
【０００７】
本発明によれば、落下等の衝撃に強く、かつ保護部材を取り外すときの操作性に優れた液体吐出ヘッドが得られる。
【図面の簡単な説明】
【０００８】
【図１】本発明の第１の実施形態の液体吐出ヘッドを示す図である。
【図２】液体記録装置を示す斜視図である。
【図３】第１の実施形態の液体吐出ヘッドを示す断面図である。
【図４】第２の実施形態の液体吐出ヘッドを示す断面図である。
【図５】第３の実施形態の液体吐出ヘッドを示す断面図である。
【発明を実施するための形態】
【０００９】
（第１の実施形態）
次に、本発明の好ましい実施の形態について、図面を参照して説明する。図１は第１の実施形態の液体吐出ヘッドを示す図であって、（ａ）は斜視図、（ｂ）は保護部材の固定部の形状を示す図である。以下の説明では、液体を吐出するエネルギーを発生する記録素子として発熱素子を使用し、熱によって圧力室内の液体に気泡を発生させて吐出口から液体を吐出させるいわゆるサーマル方式の液体吐出ヘッドを例に挙げて説明する。しかしながら、本発明が適用可能な液体吐出ヘッドはサーマル方式のものに限られるものではなく、圧電素子を使用するピエゾ方式や、その他の各種の液体吐出方式を採用する液体吐出ヘッドにも本発明を適用することができる。ここで液体は例えばインクに代表される記録液であるが、インク以外の液体であってもよい。
インク等の液体を吐出する本発明の液体吐出ヘッド及び液体吐出ヘッドを搭載した液体吐出装置は、プリンタ、複写機、通信システムを有するファクシミリ、プリンタ部を有するワードプロセッサなどの装置、さらに各種処理装置と複合的に組み合わせた産業記録装置に適用可能である。例えば、バイオチップ作製、電子回路印刷、半導体基板作製、３Ｄプリンタなどの用途としても用いることができる。
【００１０】
図１（ａ）に示す液体吐出ヘッド１１０と保護部材２００とを含む液体吐出ヘッドユニット１０は、その長手方向（図示Ｙ方向）に沿って複数の記録素子基板１００を配列したページワイド型の長尺の液体吐出ヘッドである。各記録素子基板１００は液体吐出ヘッドの長手方向に沿って直線状（インライン）に配列されており、記録素子基板１００が設けられている面のアスペクト比が非常に大きい液体吐出ヘッドである。尚、本発明はこのようなインライン配列に限らず、記録素子基板１００が千鳥状に配列された形態にも適用可能である。後述するが、本発明はこのような幅が狭く長尺な液体吐出ヘッドに特に有効に適用可能であり、記録素子基板が設けられている面の短辺と長辺との比が１：７以上の液体吐出ヘッドに特に好適に適用可能である。図示するように、液体吐出ヘッド１１０の長手方向の両端をそれぞれ端部Ａ及び端部Ｂとする。各記録素子基板１００には、複数の吐出口と吐出口に連通した圧力室と圧力室内の液体に吐出のためのエネルギーを付与する記録素子とが設けられている。圧力室内に配される記録素子は、吐出口ごとに設けられている。記録素子基板１００において複数の吐出口が形成されて露出している面を吐出口面と呼ぶ。
また、液体吐出ヘッドユニット１０が市場での流通過程にあるときや取り扱い中であるときに記録素子基板１００などの損傷や汚染を防ぐため、記録素子基板１００の露出部の全面を覆うような保護部材２００が液体吐出ヘッド１１０に取り付けられている。保護部材２００は、液体吐出ヘッド１１０に設けられた相互に平行なレール部２１，２２（図３参照）に沿って摺動することによって、図示Ｙ方向すなわち液体吐出ヘッド１１０の長手方向にスライドでき移動可能となっている。レール部２１，２２はレール部材を構成する。図示Ｙ方向のことを第１の方向とも呼ぶ。図１（ａ）は、保護部材２００が端部Ｂ側から端部Ａに向けて（図においては左から右へ）スライドしている途中の状態を示している。端部Ｂ方向に向けて保護部材２００を動かせば、レール部２２から保護部材２００が外れることとなる。したがって、端部Ｂにおいて保護部材２００はレール部２２に対して着脱可能である。なお図１（ａ）では記録素子基板１００が上向きに描かれており吐出口面が上向きとなっているが、液体吐出ヘッド１１０を実際に使用するときは、吐出口面を例えば重力方向下向きにする。
【００１１】
図１（ａ）に示すように、保護部材２００にはその図示左端の位置にストッパー部２１０が形成されている。液体吐出ヘッド１１０には、端部Ｂ側において、スライドしてきた保護部材２００のストッパー部２１０が当接するように突き当て部１１２が形成されている。ストッパー部２１０が突き当て部１１２に当接することにより、保護部材２００の先端２１１の位置が液体吐出ヘッド１１０の端部Ａを超えて図示右方にスライドし、保護部材２００が液体吐出ヘッド１１０から離脱することがないようになっている。保護部材２００の先端２１１が端部Ａの位置にあることを保護部材２００が第１の位置にあるという。保護部材２００の先端２１１が端部Ｂの位置にあってすべての記録素子基板１００が保護部材２００から露出し、吐出口から液体の吐出が可能になっていることを保護部材２００が第２の位置にあるという。
【００１２】
図１（ｂ）は、複数の記録素子基板１００の全面を覆うように端部Ａの位置まで保護部材２００がスライドしてきている状態での、液体吐出ヘッド１１０の端部Ａの近傍を示している。記録素子基板１００を覆った状態の保護部材２００が端部Ｂ側に容易にスライドすることがないように、保護部材２００には固定部２０１が形成されている。図１（ａ）とは上下逆の状態を図示している。保護部材２００の先端２１１側に設けられた固定部２０１は、端部Ａに向かって延びる細長い部材であり、根元側の相対的に細い支持部２０２と、支持部２０２の先端に設けられて支持部２０２に比べて太い先端部２０３とからなっている。支持部２０２と先端部２０３との境界となる位置において、先端部２０３は、液体吐出ヘッド１１０の長手方向に交差する（より好ましくは直交する）当接面２０４を備えている。この当接面２０４に係合できるように、液体吐出ヘッド１１０には突起１１１が設けられている。また先端部２０３の先端側の外側面にはテーパー面２０５が形成されている。端部Ｂ側から保護部材２００がスライドしてきたとき、突起１１１にテーパー面２０５が当接してテーパー面２０５が押圧され、支持部２０２が内側（図１（ａ）では上向き）に湾曲し、これにより、保護部材２００はそのままスライドすることができる。その後、保護部材２００の先端が端部Ａに到達すると、当接面２０４が突起１１１に係合するようになって、保護部材２００が逆方向すなわち端部Ｂ方向に移動することが防止される。これにより、保護部材２００の抜け落ちが防止される。この状態でテーパー面２０５が図示上向き（保護部材２００の本体側）に押圧された場合には、支持部２０２が内側に湾曲して当接面２０４が突起１１１から外れることとなり、保護部材２００を液体吐出ヘッド１１０から取り外すことが可能になる。
このように保護部材２００は液体吐出ヘッド１１０に対して、液体吐出ヘッドの長手方向に沿ってスライドにより着脱される。その際、保護部材の摺接部２３、２４が液体吐出ヘッドユニット１０のレール部２１、２２と当接しながらスライドした後、弾性のラッチレバー構造の固定部２０１により固定、係合される。このような形態により、長尺形状を有するページワイド型の液体吐出ヘッドにおいても落下等の衝撃に対しても離脱を抑制でき、また、保護部材の着脱時の操作性にも優れる。
【００１３】
図２は、本実施形態の液体吐出ヘッドユニット１０（液体吐出ヘッド１１０）が取り付けられる液体吐出装置の一例を示すものであって、液体吐出装置の外観を示している。図２に示す液体吐出装置１０００は、インクジェット記録装置として構成されて給紙カセット１００１内に格納された記録用紙を記録媒体とするものであって、記録用紙に記録を行ったのちにこの記録用紙を排紙トレイ１００２に排出する。液体吐出装置１０００の筺体には、通常時にはカバー（不図示）で覆われている開口１００３が設けられている。開口１００３は、液体吐出装置１０００の筺体内におきて液体吐出ヘッドユニット１０を受け入れる空洞部（不図示）に接続してこの空洞部の入口となるものである。空洞部は、給紙カセット１００１に格納される記録用紙の幅よりも深く形成されており、液体吐出ヘッドユニット１０がその長手方向に沿って差し込むことができるように構成されている。液体吐出装置１０００において液体吐出ヘッド１１０を搭載するキャリッジ（不図示）は、開口１００３に接続する空洞部の内部に設けられている。
【００１４】
液体吐出装置１０００に本実施形態の液体吐出ヘッドユニット１０を取り付ける場合、上述のように保護部材２００によって記録素子基板１００の全面が保護された状態のものを使用する。そして、記録素子基板１００が下向きになるような姿勢で、液体吐出ヘッドユニット１０をその長手方向に沿って開口１００３内に差し入れる。液体吐出ヘッドユニット１０が開口１００３の奥まで差し込まれると、保護部材２００の固定部２０１のテーパー面２０５が、開口１００３に接続する空洞部の奥部に設けられた当接部材（不図示）に当接して押圧され、当接面２０４が突起１１１から外れることとなる。この状態では保護部材２００を液体吐出ヘッド１１０に対してスライドさせることができるから、液体吐出ヘッドユニット１０を液体吐出装置１０００の開口１００３内に残したまま保護部材２００のみを引き抜き、保護部材２００を本体部から取り外す。これにより液体吐出ヘッドユニット１０が液体吐出装置１０００に取り付けられたこととなって、開口１００３内では記録素子基板１００が記録用紙に対して向かい合うことが可能となり、記録素子基板１００から記録用紙に記録を行うことができるようになる。
【００１５】
このように本発明の保護部材２００は、液体吐出ヘッド１１０の記録素子基板１００を覆って保護した状態で液体吐出装置１０００に挿入される。液体吐出ヘッドユニット１０が液体吐出装置１０００に装着された後に、保護部材２００を液体吐出ヘッド１１０から離脱させ、保護部材２００のみを液体吐出装置１０００から取り外すことが可能となる。このような構成により液体吐出ヘッド１１０の記録素子基板１００は、その物流中、液体吐出ヘッドの取り扱い中、液体吐出装置への装着過程中を含めて保護部材２００により保護される。よって記録素子基板１００が破損したり、吐出口からの出たインクによりユーザーの手を汚したりすることを抑制できる。
また液体吐出ヘッド１１０に対する保護部材２００の着脱方向（Ｙ方向）と、液体吐出装置１０００に対する液体吐出ヘッドユニット１０の着脱方向は共に、液体吐出ヘッドの長手方向に沿った方向である。これにより保護部材２００の着脱性、および液体吐出ヘッドユニット１０の着脱性に優れた構成とすることができる。このような構成は本実施形態のようなページワイド型の液体吐出ヘッドの場合に特に好適に適用可能である。
【００１６】
図３は、保護部材２００を液体吐出ヘッド１１０に取り付けた状態での第１の実施形態の液体吐出ヘッドユニット１０の構成を示している。液体吐出ヘッド１１０には、液体吐出ヘッド１１０の長手方向に延びる、相互に平行な２本のレール部２１，２２を有している。レール部２１は、外向き、すなわち液体吐出ヘッド１１０の長手方向に延びる中心軸に対して遠ざかる方向に突出するＬ字形の断面を有している。レール部２２は、カバー部材６００と協働して、外向きに開いたＵ字形の断面のレール構造を形成する。一方、保護部材２００は、記録素子基板１００の吐出口面側の全面を覆う形状となっている。図３は、保護部材２００についてもその長手方向に直交する面での断面図となっているが、図示横方向、すなわち保護部材２００の短幅方向の両側には、摺接部２３，２４が形成されている。摺接部２３，２４の各々は、内向き、すなわち液体吐出ヘッド１１０の長手方向に延びる中心軸に対して近づく方向に開いたＵ字形の断面を有し、摺動可能にそれぞれレール部２１，２２と係合してはめられるように構成されている。これにより、液体吐出ヘッド１１０の長手方向（図示Ｙ方向）に、液体吐出ヘッド１１０に対して保護部材２００をスライドさせることができ、かつ、上述したようにして保護部材２００を液体吐出ヘッド１１０に対して着脱することができる。
【００１７】
循環経路を備える記録素子基板１００は、例えば４色の記録液にそれぞれ対応する吐出口を備えるものであり、さらに、吐出口から吐出されなかった記録液を回収、循環できるようにしたものである。記録素子基板１００を介して記録液を循環させるために、各々に供給用の流路と回収用の流路とが形成されている流路部材５０，６０，７０が設けられており、記録素子基板１００は、支持部材３０を介して流路部材５０に取り付けられている。複数の流路部材５０，６０，７０は、それぞれが色ごとに多数の吐出口を備える複数の記録素子基板１００に対し、記録液を分配し、各吐出口に対して記録液が供給されるようにする流路を備える。このような構成により記録素子を内部に備える圧力室の内部の液体は、この圧力室の外部との間で循環可能となる。
【００１８】
記録素子基板１００に設けられている記録素子（不図示）の駆動のために、記録素子基板１００は、フレキシブル配線基板４００を介して、１以上の電気配線基板５００と電気的に接続されている。さらに、フレキシブル配線基板４００と電気配線基板５００の少なくとも一部は、金属製のカバー部材６００により覆われている。本実施形態ではフレキシブル配線基板４００と電気配線基板５００の全面がカバー部材６００により覆われている。レール部２２は、カバー部材６００に対して組み付けられるＴ字形状の断面を有する部材から形成されている。金属製のカバー部材６００は、液体吐出ヘッドユニット１０内に設けられている電気部品の各々と接地配線によって接続されており、液体吐出ヘッドユニット１０を液体吐出装置１０００に装着した際に、液体吐出装置１０００側の接地部に電気的に接続される。この構成により、液体吐出ヘッド１１０を手で扱ったり輸送中の振動によって発生する静電気による記録素子基板１００などの静電破壊を防ぐことができ、また、液体吐出ヘッド１１０に高速で信号を伝送するときのノイズの影響を緩和させることができる。本実施形態では、レール部２１とレール部２２の一部は金属製の部材によって構成されており、金属製のカバー部材６００と電気的に接続している。また、金属製のカバー部材６００の一部は保護部材２００により覆われているが、カバー部材６００のその他の部分は保護部材２００から露出している。この構成により、レール部２１，２２によって保護部材２００を滑らせながら着脱する際に、摺れることで発生する静電気を、静電容量がより大きいカバー部材６００へと逃がすことができる。これにより、保護部材２００を着脱する際に発生する静電気による記録素子基板１００などの静電破壊を防止することが可能となる。保護部材２００、レール部２１，２２及び摺接部２３，２４の少なくとも一部は金属材料で構成されることが望ましいが、樹脂材料を使用する際は、導電性樹脂を用いることが望ましい。保護部材２００に関していえば、金属または導電性樹脂である帯電防止材料で形成されていることが好ましい。本実施形態では、レール部２１，２２を別個の部材で構成しているが、一体の金属製の部材でこれらを構成してもよい。
【００１９】
本実施形態のページワイド型液体吐出ヘッド１１０においては、その長手方向に沿って保護部材２００によりをスライドさせることで着脱を行い、また、液体吐出装置に対しても液体吐出ヘッドの長手方向に沿って着脱を行う形態である。このような形態により着脱時の良好な操作性が確保されるが、それと共に、長い距離を摺動させるため静電気に対する課題が発生する。このような課題に対しても上記金属製のカバー部材の構成をとることで容易に対応することが可能となる。
【００２０】
液体吐出ヘッド１１０では、例えば記録素子基板１００の流路内などに気泡が発生し、これによって流路が閉塞することがある。そこで、液体吐出装置１０００にキャップ状の吸引部材（不図示）を配置し、吸引部材によって吐出口面側から吸引を行なうことによって気泡を吸い出す吸引回復が行われる。記録素子基板１００の周囲には、吸引回復に用いられるキャップ状の吸引部材が当接する面を形成する当接面部材３００が配置されている。ここで保護部材２００を例えば樹脂材料などで構成する場合、液体吐出ヘッドユニット１０の落下などの衝撃によって保護部材２００が変形し、当接面部材３００に干渉することで、当接面部材３００が変形したり破損したりするおそれがある。これは、保護部材２００から干渉されたときに、当接面部材３００においてその干渉の部位と対向する側の面が他の部材によって支持されていない箇所、例えば側面部３０１のような箇所で特に発生しやすい。図３に示す例において側面部３０１は、当接面部材３００の面のうち吐出口面と同じ向きを向いた面とは反対となる面である。本実施形態では、当接面部材の側面部３０１を支持する支持部６０１が、カバー部材６００の端部とレール部２２上に設けられた部材とによって構成されている。これにより、落下時などに保護部材２００が干渉することによる当接面部材３００の破損を防止することができる。
【００２１】
（第２の実施形態）
図４は、保護部材２００を取り付けた状態での第２の実施形態の液体吐出ヘッドユニット１０の構成を示している。ここでは、第２の実施形態の液体吐出ヘッドユニット１０について、第１の実施形態のものと構成が異なる箇所のみを説明し、第１の実施形態と共通の部分については説明を省略する。第２の実施形態では、金属製のカバー部材６００の端部を内向きに開いたＵ字形に加工することによって、レール部２２が形成されている。レール部２１も、内向きに開いたＵ字断面の形状で形成されている。一方、保護部材の摺接部２３，２４は、いずれも外向きに突出するＬ字断面の形状で形成されている。図示されたものではレール部２１とレール部２２とが別の部材で構成されているが、一体の金属製の部材としてレール部２１とレール部２２を構成することも可能である。また、レール部２１，２２に対し保護部材２００の摺接部２３，２４がそれぞれ左右方向ではまり合っているが、上下方向にはまり合う形状としてもよい。
【００２２】
図５は、保護部材２００を取り付けた状態での第３の実施形態の液体吐出ヘッドユニット１０の構成を示している。ここでは、第３の実施形態の液体吐出ヘッドユニット１０について、第１の実施形態のものと構成が異なる箇所のみを説明し、第１の実施形態と共通の部分については説明を省略する。図５に示した液体吐出ヘッドユニット１０は、金属製のカバー部材６００の端部を外向きに開いたＵ字形に加工することによって、レール部２２が形成されている。レール部２１、摺接部２３，２４については第１の実施形態のものと同様に形成されている。図示されたものではレール部２１とレール部２２とが別の部材で構成されているが、一体の金属製の部材としてレール部２１とレール部２２を構成することも可能である。また、レール部２１，２２に対し保護部材２００の摺接部２３，２４がそれぞれ左右方向ではまり合っているが、上下方向にはまり合う形状としてもよい。
【符号の説明】
【００２３】
１０    液体吐出ヘッドユニット
２１，２２    レール部
１００    記録素子基板
１１０    液体吐出ヘッド
２００    保護部材
【図１】
2019014169.tif 000003
【図２】
2019014169.tif 000004
【図３】
2019014169.tif 000005
【図４】
2019014169.tif 000006
【図５】
2019014169.tif 000007